(57)【要約】【課題】暴風雨などの悪天候の場合でも室内への雨水の侵入を完全に防止することができ、しかも好適な通気性能を確保することができる換気用ベントキャップを提供する。【解決手段】室内を換気するために形成された換気通路の適所に設けられる換気用ベントキャップ１において、中央が開口２１される環状溝２２を有し、環状溝２２の開口２１を室外側に向けた状態で換気通路に配置される取付本体２と、周縁に環状溝２２と同形状の環状片３１を有するキャップ状に形成され、環状片３１を室内側にして取付本体２の外側に保持手段４を介して設けられるカバー材３とを備え、環状片３１が環状溝２２との間でＳ字状の導入路５を形成するように取付本体２に対してカバー材３が配置されている。換気通路内に嵌入して配置されるタイプの換気用ベントキャップであって、取付本体２の外周面には換気通路の内壁との間に介装されるパッキン６が設けられている。【選択図】  図２
0003110711.tif 000002
【実用新案登録請求の範囲】
【請求項１】
室内を換気するために形成された換気通路の適所に設けられる換気用ベントキャップにおいて、
中央が開口される環状溝を有し、該環状溝の開口を室外側に向けた状態で前記換気通路に配置される取付本体と、
周縁に上記環状溝と同形状の環状片を有するキャップ状に形成され、該環状片を室内側にして上記取付本体の外側に保持手段を介して設けられるカバー材とを備え、
カバー材の環状片が取付本体の環状溝との間でＳ字状の導入路を形成するように取付本体に対してカバー材が配置されたことを特徴とする換気用ベントキャップ。
【請求項２】
前記換気通路内に嵌入して配置されるタイプの請求項１記載の換気用ベントキャップであって、
前記取付本体の外周面には前記換気通路の内壁との間に介装されるパッキンが設けられたことを特徴とする請求項１記載の換気用ベントキャップ。
【考案の詳細な説明】
【技術分野】
【０００１】
本考案は、建物の壁体に形成された換気通路に防雨等のために設けられる換気用ベントキャップに関するものである。
【背景技術】
【０００２】
従来、建物の壁体に接続パイプなどを設置して換気通路を形成し、この換気通路によって室内の換気を確保するとともに、換気通路の外壁側に換気用ベントキャップを設けて雨水が上記換気通路を通じて室内に侵入するのを防止していた（例えば、特許文献１参照。）。
【特許文献１】実開昭６４−１３４４４号公報
【考案の開示】
【考案が解決しようとする課題】
【０００３】
しかしながら、上記従来のものでは、普通に雨が降っている場合には防雨効果を発揮することができるものの、暴風雨など激しい雨の場合には室内への雨水の侵入が完全には防止できず、この雨水の侵入により通気通路を形成した壁体周囲や内壁の腐食などの不具合が生じるという問題があった。また、防雨機能を高めようと複雑な構造にすればするほど、本来確保しなければならない通気性能が低下する傾向が生じるため、防雨機能と通気性能との両者を良好に確保するのが困難であった。
【０００４】
本考案は、上記問題点に鑑みてなされたもので、その目的とするところは、暴風雨などの悪天候の場合でも室内への雨水の侵入を防止することができ、しかも好適な通気性能を確保することができる換気用ベントキャップを提供することにある。
【課題を解決するための手段】
【０００５】
上記の目的を達成するため、請求項１に係る考案の換気用ベントキャップは、室内を換気するために形成された換気通路の適所に設けられる換気用ベントキャップにおいて、中央が開口される環状溝を有し、該環状溝の開口を室外側に向けた状態で前記換気通路に配置される取付本体と、周縁に上記環状溝と同形状の環状片を有するキャップ状に形成され、該環状片を室内側にして上記取付本体の外側に保持手段を介して設けられるカバー材とを備え、カバー材の環状片が取付本体の環状溝との間でＳ字状の導入路を形成するように取付本体に対してカバー材が配置されたものである。
【０００６】
請求項２に係る考案の換気用ベントキャップは、前記換気通路内に嵌入して配置されるタイプの請求項１記載の換気用ベントキャップであって、前記取付本体の外周面には前記換気通路の内壁との間に介装されるパッキンが設けられたものである。
【考案の効果】
【０００７】
本考案によれば、外気を導入路を通じて室内に導くとともに、外気とともに侵入しようとする雨水を環状溝で阻止することで、暴風雨のような悪天候でも室内への雨水の侵入を阻止することができ、しかも導入路によって外気の通気性能を良好な状態に確保することができる。また、既存の換気口にも装着可能であり、汎用性に優れた換気用ベントキャップを提供することができる。
【考案を実施するための最良の形態】
【０００８】
以下、本考案の実施の形態について図面を参照して説明する。
【０００９】
図１は本考案の換気用ベントキャップの底面図であり、図２は図１のＸ−Ｘ断面図である。
【００１０】
この換気用ベントキャップ１は、後述する換気通路Ａに取付ける取付本体２と、この取付本体２に保持手段４を介して設けられたカバー材３（図２参照）とを備えている。
【００１１】
取付本体２は、図３及び図４に示すように中央部が開口２１された円形の環状溝２２を有している。具体的には、環状溝２２は、底壁２２ａと、底壁２２ａの外周縁に立設された外周壁２２ｂと、底壁２２ａの内周縁に立設された内周壁２２ｃとで構成されており、内周壁２２ｃが外周壁２２ｂよりも約半分位低い高さになされている。
【００１２】
カバー材３は、図５及び図６に示すように周縁に上記環状溝２２と同形状の環状片３１を有するキャップ状に形成されている。このカバー材３の内面中央には、後述する保持手段４で当該カバー材３を保持するための保持軸３２が一体的に延設されている。
【００１３】
保持手段４は、図７及び図８に示すように、中央連結部４１から三叉状に等間隔を隔てて放射状に延設された３本の保持片４２からなり、これら保持片４２の各先端４２ａが前記底壁２２ａの下面に固設されている。上記中央連結部４１には取付孔４１ａが形成さており、この取付孔４１ａに前記保持軸３２の先端を挿嵌して固定することで、取付本体２に対してカバー材３を適正位置に配置するようにしている。具体的には、図２に示すように、環状片３１の先端が内周壁２２ｃの先端と略同じ位置に達するように当該環状片３１が環状溝２２の全周に亘ってその幅方向略中央に挿入配置される。
【００１４】
このように取付本体２に対してカバー材３を適正位置に配置することで、環状溝２２と環状片３１との間には図２において破線の矢印で示すようなＳ字状の導入路５が形成され、後述するように換気用ベントキャップ１を換気通路Ａに取付けた場合に、上記導入路５を通じて外気を室内に導入するようにしている。。
【００１５】
そして、換気用ベントキャップ１を構成する取付本体２、カバー材３及び保持手段４は、例えば、ＡＢＳ樹脂などの合成樹脂で作製され、各部材が接着や溶着などによって上述したように一体的となるように接合されている。
【００１６】
また、換気用ベントキャップ１を後述するような従来から見られるベントキャップ（以下、従来型ベントキャップという。）と併用する場合には、外周壁２２ｂの外周面にパッキン６を貼付けるようにしている。パッキン６の材質としては、例えば合成ゴムが用いられる。
【００１７】
図９は、上述のように構成した換気用ベントキャップ１を従来型ベントキャップと併用した場合の取付状態を示している。
【００１８】
この場合、換気用ベントキャップ１は、従来型ベントキャップ１０の基端に連接する形で換気通路Ａの途中部に嵌入することによって配置される。
【００１９】
具体的には、換気通路Ａは、建物の壁体Ａ１に形成された取付孔Ａ２に接続パイプＡ３を挿入固定することによって形成されており、この接続パイプＡ３の室外側に従来型ベントキャップ１０が設けられるとともに、接続パイプＡ３の途中部に換気用ベントキャップ１がそのカバー材３を室外側にして嵌入配置される。即ち、取付本体２は環状溝２２の開口２１を室外側に向けた状態で換気通路Ａに配置され、キャップ３は環状片３１を室内側にして配置されている。
【００２０】
そして、この場合には外周壁２２ｂの外周面全周にパッキン６が貼付けられており、このパッキン６によって外周壁２２ｂと接続パイプＡ３の内面間の水密性を確保している。
【００２１】
また、従来型ベントキャップ１０は、接続パイプＡ３に嵌入される筒状の取付本体１１と、取付本体１１の外側端に壁体Ａ１の外面から突出する形で連結されたカバー１２と、取付本体１１とカバー１２との接続部に配置されたガラリ１３とを備えており、外気をカバー１２の下部に形成された開口１２ａからガラリ１３を通じて室内側に導くようにしている。接続パイプＡ３の室内外側の両端外周部はコーキングが施されている。
【００２２】
そして、上記取付本体１１の基端に上述した状態で換気用ベントキャップ１を連接している。
【００２３】
このように本考案の換気用ベントキャップ１を換気通路Ａに設置することにより、従来型ベントキャップ１０を通じて導入される外気は取付本体１１の基端開口から導入路５を通じて取付本体２とキャップ３との間をＳ字状に通って取付本体２の開口２１を経て室内に導かれる。
【００２４】
また、暴風雨などの場合には、上記外気とともに雨水が従来型ベントキャップ１０に侵入して換気用ベントキャップ１に達することがあるが、当該換気用ベントキャップ１によって室内側への雨水の侵入を阻止する。具体的には、換気用ベントキャップ１に向かって室外から吹き込んできた雨水は、キャップ３の環状片３１と環状溝２２の外周壁２２ｂとの間を通って底壁２２ａに当たり、当該底壁２２ａや内周壁２２ｃを伝って下方に導かれ、換気通路Ａに予め設定した勾配の作用で室外側に排出されることになる。また、取付本体２と接続パイプＡ３との間はパッキン６によって水密状態になっていることからこの間を通じて雨水が侵入することはない。
【００２５】
これにより暴風雨のような悪天候でも室内への雨水の侵入を完全に阻止することができ、しかも導入路５によって外気の通気性能を良好な状態に確保することができる。また、上述したように換気用ベントキャップ１を併用する形で従来の換気構造にも適用することができる。
【００２６】
なお、本発明の換気用ベントキャップ１は、取付本体１１内に装着してもよく、また、取付本体１１から所定距離隔てて接続パイプＡ３内に装着してもよい。
【００２７】
図１０は、本考案の換気用ベントキャップ１を単独で換気通路Ａの室外側に取付けた状態を示している。
【００２８】
この場合、換気用ベントキャップ１は、壁体Ａ１の外面に外部に露出した状態で換気通路Ａの外端に配置される、所謂外壁面取付タイプになる。
【００２９】
具体的には、取付本体２には、換気用ベントキャップ１を接続パイプＡ３内に所定の隙間を設けて遊嵌した状態で保持固定するための保持筒７がその外周壁２２ｂに接続されるとともに、取付本体２と接続パイプＡ３との間に生じる隙間Ｓを被覆するための被覆カバー８がその外周壁２２ｂ先端に設けられている。
【００３０】
上記保持筒７の外周には、板バネ状の保持片７１が複数設けられており、保持筒７を接続パイプＡ３内に外側から差し込んで各保持片７１で保持することによって、換気用ベントキャップ１を換気通路Ａに対して適正位置に配設するようにしている。
【００３１】
これにより換気用ベントキャップ１はキャップ３が壁体Ａ１の外面から若干突出した状態で且つ外部に露出した状態で配置される。
【００３２】
なお、この換気用ベントキャップ１では、保持手段４として取付本体２とキャップ３とに亘って線状の連結部材４３を適数本（例えば等間隔に３本）架設することによって構成している。この場合にはキャップ３に設けた保持軸３２が不要にすることができる。
【００３３】
このように換気用ベントキャップ１を取付けることによっても、前述した構造ものと同様に外気を導入路５を通じて室内に導くことができるとともに、この外気とともに侵入しようとする雨水を環状溝２２の部位で阻止することができる。
【００３４】
これにより暴風雨のような悪天候でも室内への雨水の侵入を完全に阻止することができ、しかも導入路５によって外気の通気性能を良好な状態に確保することができる。
【００３５】
また、換気用ベントキャップ１を接続パイプＡ３に対して遊嵌しているため、取付本体２やキャップ３の形状を接続パイプＡ３の断面形状に関わらず、つまり円形に関わらず、例えば四角や菱形など適宜な形状にすることができる。しかも、従来のようなフードなどのように外壁から大きく突出することがなく、外壁に違和感なくマッチさせることができ、意匠性を高めることができる。
【００３６】
なお、上述した実施形態は、あくまでも本発明の好適な実施態様を示すものであって、本発明はこれに限定されることなく、その範囲内において種々設計変更可能である。
【００３７】
例えば、本実施の形態では換気用ベントキャップの各構成部材を合成樹脂で作製したものについて述べたが、材質はこれに限らず、例えばステンレスのようなものであってもよい。
【図面の簡単な説明】
【００３８】
【図１】本考案の換気用ベントキャップを示す底面図である。
【図２】図１におけるＸ−Ｘ断面図である。
【図３】取付本体を示す平面図である。
【図４】図３におけるＹ−Ｙ断面図である。
【図５】キャップを示す断面図である。
【図６】キャップを示す底面図である。
【図７】保持手段を示す平面図である。
【図８】保持手段を示す側面図である。
【図９】換気用ベントキャップの取付例を示す断面図である。
【図１０】換気用ベントキャップの他の取付例を示す断面図である。
【符号の説明】
【００３９】
１  換気用ベントキャップ
２  取付本体
２１  開口
２２  環状溝
３  キャップ
３１  環状片
４  保持手段
５  導入路
６  パッキン
Ａ  換気通路
【図１】
0003110711.tif 000003
【図２】
0003110711.tif 000004
【図３】
0003110711.tif 000005
【図４】
0003110711.tif 000006
【図５】
0003110711.tif 000007
【図６】
0003110711.tif 000008
【図７】
0003110711.tif 000009
【図８】
0003110711.tif 000010
【図９】
0003110711.tif 000011
【図１０】
0003110711.tif 000012